(57)【要約】【課題】召合部から室内への漏水を防止した引違いサッシの提供を目的とする。【解決手段】引違いサッシは外障子と内障子と下枠と水返し部材とを備え、外障子及び内障子はそれぞれ下方に突出した垂下片を有し、下枠は外障子ガイド溝と内障子ガイド溝と外障子と内障子との召合部における内障子の下方に設けた排水凹部とを有し、外障子ガイド溝は外障子の垂下片をガイドするものであり、内障子ガイド溝は内障子の垂下片をガイドするものであり、排水凹部は外障子ガイド溝の室内側側壁に切欠部を設けて外障子ガイド溝と連通しており、水返し部材は排水凹部又は外障子ガイド溝に取付けてあるとともに上方に立ち上がる水返し片を有し、水返し片は排水凹部内に位置している。【選択図】  図１
2007120105.tif 000002
【特許請求の範囲】
【請求項１】
外障子と内障子と下枠と水返し部材とを備え、
外障子及び内障子は、それぞれ下方に突出した垂下片を有し、
下枠は、外障子ガイド溝と、内障子ガイド溝と、外障子と内障子との召合部における内障子の下方に設けた排水凹部とを有し、
外障子ガイド溝は、外障子の垂下片をガイドするものであり、
内障子ガイド溝は、内障子の垂下片をガイドするものであり、
排水凹部は、外障子ガイド溝の室内側側壁に切欠部を設けて外障子ガイド溝と連通しており、
水返し部材は、排水凹部又は外障子ガイド溝に取付けてあるとともに上方に立ち上がる水返し片を有し、水返し片は、排水凹部内に位置していることを特徴とする引違いサッシ。
【請求項２】
外障子ガイド溝の室内側側壁は、タイト材ホルダーを有し、
水返し部材は、タイト材ホルダーの端面に当接する端面当接部を有していることを特徴とする請求項１記載の引違いサッシ。
【発明の詳細な説明】
【技術分野】
【０００１】
本発明は引違いサッシに関し、特に下枠上面に障子走行用の突条レールの無い下枠上面フラットサッシに係る。
【背景技術】
【０００２】
下枠上面に障子走行用の突条レールの無い下枠上面フラットの引違いサッシにあっては、下枠上面にガイド溝を形成し、外障子及び内障子から下方に垂下した垂下片を、この下枠上面のガイド溝に挿入するとともに、外障子と内障子の召合部室外側に雨水が流れ込みやすいので召合部に対応して下枠上面に排水凹部を設けることは、特許文献１に開示するように公知である。
しかし、外障子用のガイド溝に流れ込んだ雨水等は風とともに、下枠上面の排水凹部を経由して吹き上げ、室内漏水の原因となりやすかった。
また、外障子のガイド溝に流れ込んだ雨水等がタイト材ホルダーの中に浸入し、室内へ漏水するおそれがあった。
特許文献１に開示するものは、外障子と内障子との召合部における下枠上面に、内障子の下面に摺接する風止板を有しているが、この風止板は外障子ガイド溝から吹き込んだ雨水を止水するものではない。
【０００３】
【特許文献１】特開２００５−２６４７号公報
【発明の開示】
【発明が解決しようとする課題】
【０００４】
本発明は、召合部からの室内への漏水を防止した引違いサッシの提供を目的とする。
【課題を解決するための手段】
【０００５】
請求項１記載に係る引違いサッシは、外障子と内障子と下枠と水返し部材とを備え、外障子及び内障子は、それぞれ下方に突出した垂下片を有し、下枠は、外障子ガイド溝と、内障子ガイド溝と、外障子と内障子との召合部における内障子の下方に設けた排水凹部とを有し、外障子ガイド溝は、外障子の垂下片をガイドするものであり、内障子ガイド溝は、内障子の垂下片をガイドするものであり、排水凹部は、外障子ガイド溝の室内側側壁に切欠部を設けて外障子ガイド溝と連通しており、水返し部材は、排水凹部又は外障子ガイド溝に取付けてあるとともに上方に立ち上がる水返し片を有し、水返し片は、排水凹部内に位置していることを特徴とする。
請求項２に記載の引違いサッシにおいては、外障子ガイド溝の室内側側壁は、タイト材ホルダーを有し、水返し部材は、タイト材ホルダーの端面に当接する端面当接部を有していることを特徴とする。
【発明の効果】
【０００６】
請求項１記載にかかる発明は、外障子ガイド溝の室内側側壁に切欠部を設けて、外障子ガイド溝と、召合部における内障子の下方に設けた排水凹部とを連通し、上方に立ち上がる水返し片を有する水返し部材を、水返し片が排水凹部に位置するように排水凹部又は外障子ガイド溝に取り付けてあるので、外障子ガイド溝に沿って吹き込んできた雨水の多くは水返し片で遮ぎるようにして排水凹部に誘導するので室内側への止水性が高い。
請求項２に記載の発明は、水返し部材に、タイト材ホルダーの端面に当接する端面当接部を設けたので、タイト材ホルダーに沿って雨水が室内側に漏水するのを防止できる。
【発明を実施するための最良の形態】
【０００７】
本発明に係る引違いサッシの例を以下図面に基づいて説明する。
図５にサッシの縦断面図を示し、図６に横断面図を示す。
本発明に係る引違いサッシは、建築物の屋外開口部に用いるのに適していて、下枠上面に突条レールの無いバリアフリー構造になっている。
下枠３０、上枠１、左右の縦枠２とで略方形のサッシ枠を形成し、室内側に内障子１０及び室外側に外障子２０を装着し、内障子１０及び外障子２０がそれぞれ左右に開閉する引違いサッシになっている。
内障子１０及び外障子２０は、それぞれ上框１３，２３、下框１１，２１、召合框１２，２２、戸当たり框１６，２６にて障子枠を形成し、枠内にパネル１４，２４を装着している。
なお、図５に示す３は内障子の開き側ストッパーである。
【０００８】
本発明に係る引違いサッシの外障子と内障子との召合部の斜視図を図１に示し、この召合部の部分構成図を図２に示す。
図１においては、分かりやすくするために外障子を外した状態の内障子召合框の下部側のコーナー部を示す。
下枠３０は、下枠ベース部材３１の上部に複数の立上り片を設けるとともに、嵌着溝３８、３９を形成し、これに内障子用上面部材３４及び外障子上面部材３３を嵌着して下枠上面が概ねフラットになっている。
下枠３０には、内障子ガイド溝３６と外障子ガイド溝３７とを設けてあり、この内外障子のガイド溝には図５に示すように、それぞれ内障子下框１１の室内側から下方に突出した内障子垂下片１１ａと外障子下框２１の室内側から下方に突出した外障子垂下片２１ａが挿入しガイドするようになっていて、下框に取り付けた戸車１５，２５にて内障子１０及び外障子２０が下枠上面上を走行する。
従って、内障子ガイド溝３６と外障子ガイド溝３７とは、上部が内外障子の垂下片１１ａ、２１ａの厚みよりも少し広いだけの狭い溝幅になっていて、内外障子の垂下片が左右にスライドするのをガイドする役割と溝内部が幅広になっている凹部に雨水を流し込む排水溝としての役割を有している。
また、内障子ガイド溝と外障子ガイド溝の底部には、適宜排水孔を設けて下枠の中空部３５ｃを経由して室外に排水する。
【０００９】
内障子ガイド溝３６と外障子ガイド溝３７の室内側の側壁には、タイト材ホルダーを設けて内障子用タイト材３６ａと外障子用タイト材３７ａを取り付けてあり、障子が閉じた際に、それぞれの垂下片の室内側に当接し、止水ラインを形成する。
内障子召合框の外障子側には煙返し１２ａを設けて外障子の煙返しと当接し、外障子召合框２２の室内側に当接する縦タイト材１２ｂを有している。
また、下框の室外側下端にそれぞれ下枠上面タイト材１１ｂ，２１ｂを取り付けている。
【００１０】
図１及び図２に示すように、下枠には水返し部材５０が取り付けてあり、水返し部材５０は、外障子ガイド溝３７の底部に取り付けるための基台５１から上方に立ち上がる中央の水返し片５２と見付方向両端側の立上り片５３ａ、５３ｂを有している。
この水返し部材５０は、下枠の外障子ガイド溝３７の室内側に設けたタイト材ホルダー３７ｂ及び室内側側壁を切り欠いて形成した切欠部３７ｃに水返し片が配置するように基台５１を外障子ガイド溝３７の底部に取り付けてある。
なお、本発明は、切欠部３７ｃに水返し片５２を配置するものであれば、水返し部材５０の取付位置は、外障子ガイド溝３７の底部には限定されない。
水返し片５２は、室内外方向に幅広で幅広の面が下枠の長手方向と直交する方向を向いており、外障子ガイド溝３７に沿って吹き込んできた雨水の多くを排水凹部の室外側で遮る水返し面５２ａを有している。
また水返し部材５０の見付方向両端側の立上り片はそれぞれタイト材ホルダーの切欠部３７ｃに位置し、タイト材ホルダー端部に当接する端面当接部５３ａ、５３ｂを有している。
【００１１】
図１、図５及び図６にて説明すると障子が閉じた際に外障子が存在しない部分（図１においては水返し部材の左側）は室外になるので外障子ガイド溝３７に沿って雨水が召合部に吹き込んでくる恐れが高い。
特に風が強いときには召合部の排水凹部３５に吹き込む量が多くなるが、外障子ガイド溝の室内側に隣設した排水凹部の室外側よりに水返し部材５０を取り付けてあり、水返し部材の水返し片５２は室内外方向に幅広の水返し面５２ａを有しているので、排水凹部に浸入した雨水の多くは水返し面５２ａに当って下方に落下し、室内側に浸入することが防止される。
図３に水返し部材５０と排水凹部３５との位置関係を示す。
図３（ａ）は、下枠から障子を外した状態の下枠の排水凹部を上から見た図であり、図３（ｂ）は、下枠のＡ−Ａ線断面と内障子召合框１２を表示して水返し部材５０との位置関係を表したものである。
図３（ｂ）に示すように、室内外方向に水返し面５２ａを有する水返し片５２は、室外から矢印の方向に沿って吹き込んでくる雨水を室内側の排水凹部の外に出ることを防ぐものであり、水返し片５２の立ち上がり高さは、内障子の走行の障害にならない範囲で下枠上面より上方に突出していてもよく、水返し片５２の見付け方向の位置は、排水凹部見付け方向の中央部がよい。
また、水返し片５２の見込み方向の位置は、図３（ａ）に示すように排水凹部３５の室外側よりが最も効果的である。
排水凹部の雨水は、嵌着溝３８の底部適宜位置に設けた排水孔から排水されるが、図２に示すように排水凹部３５の底部に凹部排水孔３５ａを設けると効率的に中空部３５ｃに流れ込み、図５に示すように室外排水孔３５ｂより室外に排水される。
また、タイト材ホルダーの端面当接部５３ａは、タイト材ホルダーの端部をふさいでいるのでタイト材ホルダー３７ｂとタイト材３７ａとの隙間に沿って室内側に雨水が浸入するのを防止している。
【００１２】
下枠上面がフラットであると、下枠上面に沿って内障子と外障子との室外側召合部に雨水が吹き込みやすいので、本実施例では、図４及び図５に示すように、内障子召合框１２の下端部には止水用のシールピース４０を取り付けている。
【００１３】
シールピース４０は、下枠上面に当接する室内外方向の当接片４１と、下枠凹部の上方に位置する水切片４２ａ、４２ｂと、召合框当接片４３を有している。
当接片４１は、ヒレ状の複数枚からなる弾性体になっていて、内障子垂下片１１ａに連続するようにシールピースの室内側に設けたシールピース垂下片４５の室外側と、外障子召合框の室内側とにわたって下枠上面に当接するように配置してあり、水切片は排水凹部３５の上方に位置するように配置してあるが、図４、図５に示すように当接片４１と交差する方向の障子走行方向水切片４２ａと、室内外方向の室内外方向水切片４２ｂとを有している。
障子走行方向水切片４２ａは、先端部が排水凹部３５側に向くようにベース部４４側から障子走行方向に突出していて、当接片４１と交差する方向（室内外方向水切り片４２ｂと交差する方向）であれば、必ずしも直角方向である必要が無く、室内外方向斜めに突出していてもよい。
また、障子走行方向水切片４２ａは、内障子下框１１の室外側下端に取り付けてある下枠上面タイト材１１ｂと重なるように当接又は近設している。
室内外方向水切片４２ｂは、当接片４１のように下枠上面に当接しているものではなく、当接片よりも下側に短くてもよいが、その室内外方向の幅は、排水凹部の室内外方向幅以上に有しているのが水切りに効果的である。
また、召合框当接片４３は、内障子召合框室外側と外障子召合框室内側との間を止水している。
室外側から下枠上面に沿って吹き込んできた雨水はシールピース４０の室内外方向水切片４２ｂに当って下方に位置する排水凹部３５に落下し、室内側に回り込み浸入しようとする雨水は、内障子下框１１の下枠上面タイト材１１ｂと障子走行方向水切片４２ａに当たり、その下の排水凹部３５に落下する。
この内障子下框１１の下枠上面タイト材１１ｂにも水切り効果があり、障子走行方向水切片４２ａを当接又は、近くに配設することで、より効果的に水切りする。
落下した雨水は、排水凹部からその下の排水孔を経由して下枠の中空部３５ｃに流れ込み、逆止弁を設けた室外排水孔３５ｂから室外に排水される
【図面の簡単な説明】
【００１４】
【図１】本発明に係るサッシを適用した引違い障子の召合部の斜視図を示す。
【図２】召合部分の分解図を示す。
【図３】水返し部材と排水凹部との位置関係を示す。
【図４】排水凹部にシールピースを取り付けた例を示す。
【図５】本発明に係るサッシの縦断面図を示す。
【図６】本発明に係るサッシの横断面図を示す。
【符号の説明】
【００１５】
１０    内障子
１１    内障子下框
１１ａ  内障子垂下片
１２    内障子召合框
３０    下枠
３５    排水凹部
３６    内障子ガイド溝
３７    外障子ガイド溝
４０    シールピース
４１    当接片
４２ａ、４２ｂ  水切片
５０    水返し部材
５２    水返し片
５３ａ  タイト材ホルダーの端面当接部
【図１】
2007120105.tif 000003
【図２】
2007120105.tif 000004
【図３】
2007120105.tif 000005
【図４】
2007120105.tif 000006
【図５】
2007120105.tif 000007
【図６】
2007120105.tif 000008